(57)【要約】【課題】木痩せによるボルトの緩みを確実に防ぐことができ、バルコニー、庇等の張出部の支持強度の低下を確実に防ぐことが可能なブラケットの取付構造の提供。【解決手段】梁等の被取付部１０に、バルコニー等の張出部を支持するブラケット２０が取り付けられてなるブラケット２０の取付構造において、前記被取付部１０に形成された貫通孔３０の両端の開口部に面して、第１孔部４１および第２孔部４２を有する座金部材４０が取り付けられ、第１孔部４１および貫通孔３０に支持ボルト５０が挿通されるとともに、第２孔部４２を通じて貫通孔３０の内部に接着剤６０が充填されており、前記支持ボルト５０に螺合するナット５１が、被取付部１０の側面１１に設けられるとともに、この被取付部１０の側面１１から突出した支持ボルト５０の先端部５０ａに、前記ブラケット２０が取り付けられていることを特徴とする。  【選択図】図１
2007247242.tif 000002
【特許請求の範囲】
【請求項１】
木造建物における梁、壁等の被取付部に、バルコニー、庇等の張出部を支持するためのブラケットが水平方向に突出するようにして取り付けられてなるブラケットの取付構造において、
前記被取付部に、前記ブラケットの突出方向と同一方向に貫通する貫通孔が形成されるとともに、中心に第１孔部を有し、かつ第１孔部の近傍に第２孔部を有する座金部材が、前記貫通孔の両端の開口部に面して取り付けられ、
これら第１孔部および貫通孔に、前記ブラケットを支持するための支持ボルトが、その先端部を被取付部の側面から突出するようにして挿通されるとともに、第２孔部を通じて貫通孔の内部に接着剤が充填されており、
前記支持ボルトに螺合するナットが、前記被取付部の側面に設けられているとともに、この被取付部の側面から突出した支持ボルトの先端部に、前記ブラケットが取り付けられていることを特徴とするブラケットの取付構造。
【請求項２】
請求項１に記載のブラケットの取付構造において、
前記貫通孔は、前記支持ボルトの本体軸部よりも大径となるように形成されており、前記貫通孔の内周面と前記本体軸部の外周面との間に隙間が形成されていることを特徴とするブラケットの取付構造。
【請求項３】
請求項１または２に記載のブラケットの取付構造において、
前記支持ボルトの頭部および前記支持ボルトに螺合するナットは、前記座金部材に形成された第１孔部および第２孔部を閉塞可能な大きさに設定されていることを特徴とするブラケットの取付構造。
【請求項４】
請求項１〜３のいずれか一項に記載のブラケットの取付構造において、
前記座金部材には、前記貫通孔に嵌挿する輪状の嵌挿部が設けられており、前記第１孔部および第２孔部は、この嵌挿部の内周面よりも内側に位置していることを特徴とするブラケットの取付構造。
【請求項５】
請求項１〜４のいずれか一項に記載のブラケットの取付構造において、
前記ブラケットにベースプレートが設けられており、このベースプレートに、前記支持ボルトが挿通される挿通孔が形成されるとともに、ベースプレートの表面側および裏面側に、前記支持ボルトに螺合するナットがそれぞれ設けられていることを特徴とするブラケットの取付構造。
【請求項６】
請求項１〜５のいずれか一項に記載のブラケットの取付構造において、
前記被取付部には、前記ブラケットが取り付けられる側面と対向する側面に、所定の深さの窪み部が形成されており、この窪み部に、前記支持ボルトの頭部および座金部材が位置していることを特徴とするブラケットの取付構造。
【発明の詳細な説明】
【技術分野】
【０００１】
本発明は、木造建物における梁、壁等の被取付部に、バルコニー、庇等の張出部を支持するためのブラケットを水平方向に突出するようにして取り付けてなるブラケットの取付構造に関する。
【背景技術】
【０００２】
従来から、建物の外壁面にバルコニーなどの付属物を設置した建物が知られており、これらの付属物の取付構造が種々提案されている（例えば、特許文献１参照。）。
【０００３】
この特許文献１に記載の技術は、バルコニー本体を支承するブラケットをブラケット取付板を介して建物側に固着するものであり、前記ブラケット取付板に、ブラケットを固定するための固定用ボルトが予め外向きに植設されている。また、前記ブラケット取付板は、ボルト孔に挿通した貫通ボルトによって側根太のバルコニー本体を設ける位置に取り付けられている。
【特許文献１】実公昭６３−０３４００１号公報
【発明の開示】
【発明が解決しようとする課題】
【０００４】
ところで、木材には、時間の経過に伴って徐々に乾燥して細くなっていく、いわゆる木痩せが生じることが知られている。例えば特許文献１において、前記側根太に木痩せが生じた場合、この側根太が乾燥して細くなっていくのに伴って貫通ボルトが緩んでしまい、バルコニー本体の支持強度が低下してしまう可能性がある。このため、貫通ボルトを締め直したり、側根太そのものを交換したり等の作業を行わなければならなかった。
そこで、例えば木造建物における梁、壁等の被取付部に、バルコニー、庇等の張出部を設ける際に、木痩せによるボルトの緩みを防ぐことを可能とし、これによって、上述のような作業手間を省略することが可能な技術の開発が望まれていた。
【０００５】
本発明の課題は、木痩せによるボルトの緩みを確実に防ぐことができ、これによって、バルコニー、庇等の張出部の支持強度の低下を確実に防ぐことが可能なブラケットの取付構造を提供することを目的とする。
【課題を解決するための手段】
【０００６】
請求項１に記載の発明は、例えば図１〜図３に示すように、木造建物における梁、壁等の被取付部１０に、バルコニー、庇等の張出部（図示せず）を支持するためのブラケット２０が水平方向に突出するようにして取り付けられてなるブラケット２０の取付構造において、
前記被取付部１０に、前記ブラケット２０の突出方向と同一方向に貫通する貫通孔３０が形成されるとともに、中心に第１孔部４１を有し、かつ第１孔部４１の近傍に第２孔部４２を有する座金部材４０が、前記貫通孔３０の両端の開口部に面して取り付けられ、
これら第１孔部４１および貫通孔３０に、前記ブラケット２０を支持するための支持ボルト５０が、その先端部５０ａを被取付部１０の側面１１から突出するようにして挿通されるとともに、第２孔部４２を通じて貫通孔３０の内部に接着剤６０が充填されており、
前記支持ボルト５０に螺合するナット５１が、前記被取付部１０の側面１１に設けられているとともに、この被取付部１０の側面１１から突出した支持ボルト５０の先端部５０ａに、前記ブラケット２０が取り付けられていることを特徴とする。
【０００７】
請求項１に記載の発明によれば、前記第１孔部４１および貫通孔３０に支持ボルト５０が挿通されるとともに、第２孔部４２を通じて貫通孔３０の内部に接着剤６０が充填されているので、この接着剤６０によって前記支持ボルト５０を貫通孔３０の内部に定着させて強固に固定することができる。
そして、このように前記接着剤６０によって、前記支持ボルト５０が貫通孔３０の内部に強固に固定されているので、従来とは異なり、時間の経過に伴って前記被取付部１０に木痩せが生じた場合であっても、支持ボルト５０の緩みを確実に防ぐことができる。これによってブラケット２０の支持強度の低下を確実に防ぐことができるので、延いては、バルコニー、庇等の張出部の支持強度の低下を確実に防ぐことが可能となる。
【０００８】
請求項２に記載の発明は、例えば図１に示すように、請求項１に記載のブラケット２０の取付構造において、
前記貫通孔３０は、前記支持ボルト５０の本体軸部５０ｂよりも大径となるように形成されており、前記貫通孔３０の内周面と前記本体軸部５０ｂの外周面との間に隙間３１が形成されていることを特徴とする。
【０００９】
請求項２に記載の発明によれば、前記貫通孔３０の内周面と前記本体軸部５０ｂの外周面との間に隙間３１が形成されているので、この隙間３１に接着剤６０を充填することができ、前記支持ボルト５０を前記貫通孔３０の内部に確実に定着させて固定することができる。
【００１０】
請求項３に記載の発明は、例えば図１に示すように、請求項１または２に記載のブラケット２０の取付構造において、
前記支持ボルト５０の頭部５０ｃおよび前記支持ボルト５０に螺合するナット５１は、前記座金部材４０に形成された第１孔部４１および第２孔部４２を閉塞可能な大きさに設定されていることを特徴とする。
【００１１】
請求項３に記載の発明によれば、前記支持ボルト５０の頭部５０ｃおよび前記支持ボルト５０に螺合するナット５１が、前記座金部材４０に形成された第１孔部４１および第２孔部４２を閉塞可能な大きさに設定されているので、ナット５１を締め付け、前記支持ボルト５０の頭部５０ｃおよびナット５１によって第１孔部４１および第２孔部４２を閉塞することで、前記貫通孔３０に注入された接着剤６０の漏れを確実に防ぐことができる。
【００１２】
請求項４に記載の発明は、例えば図１および図２に示すように、請求項１〜３のいずれか一項に記載のブラケット２０の取付構造において、
前記座金部材４０には、前記貫通孔３０に嵌挿する輪状の嵌挿部４３が設けられており、前記第１孔部４１および第２孔部４２は、この嵌挿部４３の内周面よりも内側に位置していることを特徴とする。
【００１３】
請求項４に記載の発明によれば、前記座金部材４０に、前記貫通孔３０に嵌挿する輪状の嵌挿部４３が設けられているので、この嵌挿部４３を貫通孔３０に嵌挿することで座金部材４０の取り付け位置のずれを防ぐことができる。しかも、前記第１孔部４１および第２孔部４２が、この嵌挿部４３の内周面よりも内側に位置しているので、前記支持ボルト５０を、貫通孔３０の両端に取り付けられた座金部材４０の第１孔部４１どうし間に正確に挿通することができるとともに、前記第２孔部４２から接着剤６０を確実に注入することができる。
【００１４】
請求項５に記載の発明は、例えば図１に示すように、請求項１〜４のいずれか一項に記載のブラケット２０の取付構造において、
前記ブラケット２０にベースプレート２１が設けられており、このベースプレート２１に、前記支持ボルト５０が挿通される挿通孔２１ａが形成されるとともに、ベースプレート２１の表面側および裏面側に、前記支持ボルト５０に螺合するナット２１ｂ，２１ｃがそれぞれ設けられていることを特徴とする。
【００１５】
請求項５に記載の発明によれば、前記ブラケット２０にベースプレート２１が設けられており、このベースプレート２１に前記支持ボルト５０が挿通される挿通孔２１ａが形成されるとともに、ベースプレート２１の表面側および裏面側に、前記支持ボルト５０に螺合するナット２１ｂ，２１ｃがそれぞれ設けられているので、これらナット２１ｂ，２１ｃで締め付けを行うことによって前記ベースプレート２１を前記支持ボルト５０に強固に固定することができ、例えば外部から力を受けた際に、前記支持ボルト５０のぐらつきや変形等を防ぐことができる。
【００１６】
請求項６に記載の発明は、例えば図１に示すように、請求項１〜５のいずれか一項に記載のブラケット２０の取付構造において、
前記被取付部１０には、前記ブラケット２０が取り付けられる側面１１と対向する側面１２に、所定の深さの窪み部１２ａが形成されており、この窪み部１２ａに、前記支持ボルト５０の頭部５０ｃおよび座金部材４０が位置していることを特徴とする。
【００１７】
請求項６に記載の発明によれば、前記窪み部１２ａに、前記支持ボルト５０の頭部５０ｃおよび座金部材４０が位置しているので、支持ボルト５０の頭部５０ｃおよび座金部材４０を前記被取付部１０の側面１２よりも突出させないようにすることができる。これによって、例えば前記ブラケット２０が取り付けられる側面１１と対向する側面１２が室内に位置する場合に、室内への出っ張りを少なくすることができる。
【発明の効果】
【００１８】
本発明によれば、被取付部に形成された貫通孔と、この貫通孔の両端に設けられた座金部材の第１孔部とに支持ボルトが挿通され、さらに座金部材の第２孔部を通じて貫通孔の内部に接着剤が充填されているので、この接着剤によって前記支持ボルトを貫通孔の内部に定着させて固定することができる。
そして、このように前記接着剤によって、前記支持ボルトが貫通孔の内部に強固に固定されているので、従来とは異なり、時間の経過に伴って前記被取付部に木痩せが生じた場合であっても、支持ボルトの緩みを確実に防ぐことができる。これによってブラケットの支持強度の低下を確実に防ぐことができるので、延いては、バルコニー、庇等の張出部の支持強度の低下を確実に防ぐことが可能となる。
【発明を実施するための最良の形態】
【００１９】
以下、図面を参照して本発明に係るブラケット２０の取付構造の実施の形態について説明する。
【００２０】
本実施の形態のブラケット２０の取付構造は、図１〜図３に示すように、木造建物における梁、壁等の被取付部１０に、バルコニー、庇等の張出部を支持するためのブラケット２０が水平方向に突出するようにして取り付けられてなるものであり、
前記被取付部１０に、前記ブラケット２０の突出方向と同一方向に貫通する貫通孔３０が形成されるとともに、中心に第１孔部４１を有し、かつ第１孔部４１の近傍に第２孔部４２を有する座金部材４０が、前記貫通孔３０の両端の開口部に面して取り付けられ、
これら第１孔部４１および貫通孔３０に、前記ブラケット２０を支持するための支持ボルト５０が、その先端部５０ａを被取付部１０の側面１１から突出するようにして挿通されるとともに、第２孔部４２を通じて貫通孔３０の内部に接着剤６０が充填されており、
前記支持ボルト５０に螺合するナット５１が、前記被取付部１０の側面１１に設けられているとともに、この被取付部１０の側面１１から突出した支持ボルト５０の先端部５０ａに、前記ブラケット２０が取り付けられている。
【００２１】
ここで、前記被取付部１０は木製であり、例えば天然木や集成材等からなる。また、この被取付部１０は、前記ブラケット２０が取り付けられる側面が外部に面した側面１１となっており、この側面１１と対向する側面が室内に面した側面１２となっている。
なお、本実施の形態の被取付部１０は、断面視矩形状に形成され、集成材からなる梁を用いるものとし、例えば水平方向に伸びる梁と、梁の両端から鉛直下方に伸びる柱とを備えた門型の構造材を用いて建物を構築する場合等において好適である。すなわち、この梁に対してバルコニー、庇等を設ける際に採用される。
【００２２】
なお、前記集成材とは、例えば輸入外国産材等のような原木を切り出すことによって得られるラミナ（ひき板）または小角材などを、繊維方向を互いにほぼ平行にし、厚さ、幅及び長さの方向に集成接着することにより、角材や厚板材として形成されたものである。
【００２３】
また、前記被取付部１０の貫通孔３０は、図１に示すように、前記支持ボルト５０の本体軸部５０ｂよりも大径となるように形成されており、前記貫通孔３０の内周面と前記本体軸部５０ｂの外周面との間に隙間３１が形成されている。
このように前記貫通孔３０の内周面と前記本体軸部５０ｂの外周面との間に隙間３１が形成されることで、この隙間３１に接着剤６０を充填することができるので、前記支持ボルト５０を前記貫通孔３０の内部に確実に定着させて固定することができるようになっている。
また、この貫通孔３０は、前記被取付部１０に複数形成されており、この貫通孔３０が形成された数に合わせて前記ブラケット２０も取り付けられている。
【００２４】
一方、この貫通孔３０には、上述したように、この貫通孔３０の両端の開口部に面して前記座金部材４０が設けられている。そして、この座金部材４０には、図２（ａ），（ｂ）に示すように、前記支持ボルト５０を挿通するための第１孔部４１が中心に設けられ、貫通孔３０の内部に接着剤６０を注入するための第２孔部４２が前記第１孔部４１の近傍に設けられている。
【００２５】
また、この座金部材４０には、前記貫通孔３０に嵌挿する輪状の嵌挿部４３が設けられており、前記第１孔部４１および第２孔部４２は、この嵌挿部４３の内周面よりも内側に位置している。
これによって、この嵌挿部４３を貫通孔３０に嵌挿することで座金部材４０の取り付け位置のずれを防ぐことができるとともに、前記支持ボルト５０を、貫通孔３０の両端に取り付けられた座金部材４０の第１孔部４１どうし間に正確に挿通することができるとともに、前記第２孔部４２から接着剤６０を確実に注入することができる。
【００２６】
さらに、前記貫通孔３０の両端の開口部に面して取り付けられた座金部材４０に前記第２孔部４２が形成されているので、一方の座金部材４０の第２孔部４２を接着剤６０注入用の孔として用い、他方の座金部材４０の第２孔部４２を貫通孔３０の内部の空気を抜くための穴として用いることによって、前記貫通孔３０の内部に、より確実に接着剤６０を充填することができるようになっている。
【００２７】
一方、本実施の形態の張出部は、図示はしないが、バルコニーであり、前記ブラケット２０によってバルコニー床が支持されている。また、前記ブラケット２０は、図３に示すように、四角筒状のアーム部２２と、このアーム部２２の一端に設けられ、前記被取付部１０に接するベースプレート２１とを備えている。
さらに、このブラケット２０は、上述したように前記貫通孔３０の数に合わせて複数取り付けられており、このように複数のブラケット２０が取り付けられることによって前記張出部を確実に支持することが可能となっている。
【００２８】
また、前記ベースプレート２１は、図１に示すように、前記支持ボルト５０が挿通される挿通孔２１ａが形成されるとともに、このベースプレート２１の表面側および裏面側に、前記支持ボルト５０に螺合するナット２１ｂ，２１ｃがそれぞれ設けられている。
すなわち、これらナット２１ｂ，２１ｃで締め付けを行うことによって前記ベースプレート２１を前記支持ボルト５０に強固に固定することができるので、例えば外部から力を受けた際に、前記支持ボルト５０のぐらつきや変形等を防ぐことができるようになっている。
なお、本実施の形態において前記挿通孔２１ａは、ベースプレート２１の四隅に形成されており、これら挿通孔２１ａにそれぞれ前記支持ボルト５０が挿通されるようになっている。
【００２９】
なお、図１に示すように、前記被取付部１０の側面１１とベースプレート２１との間において、前記支持ボルト５０に２つのナット２１ｃ，５１が設けられた状態となっている。そして、このようにナット２つ分の隙間があけられることで、例えば被取付部１０の側面１１にサイディング材等の外装材を設ける際に、端部を隙間に挿入して隠すようにしてサイディング材を設けることができるので、見映えが良い。
【００３０】
次いで、前記支持ボルト５０は、図１に示すように、前記被取付部１０の室内に面する側面１２から貫通孔３０に挿入されて、被取付部１０の外部に面する側面１１から突出するようにして設けられており、この外部に面する側面１１から突出した部分に前記ブラケット２０が取り付けられるようになっている。
【００３１】
また、前記支持ボルト５０の頭部５０ｃおよび前記支持ボルト５０に螺合するナット５１は、前記座金部材４０に形成された第１孔部４１および第２孔部４２を閉塞可能な大きさに設定されている。
これによって、ナット５１を締め付け、前記支持ボルト５０の頭部５０ｃおよびナット５１によって第１孔部４１および第２孔部４２を閉塞することで、前記貫通孔３０に注入された接着剤６０の漏れを確実に防ぐことが可能となっている。
【００３２】
なお、前記被取付部１０の室内に面する側面１２には、図１に示すように、所定の深さの窪み部１２ａが形成されており、この窪み部１２ａに、前記支持ボルト５０の頭部５０ｃおよび座金部材４０が位置している。
つまり、この窪み部１２ａに、前記支持ボルト５０の頭部５０ｃおよび座金部材４０が位置しているので、支持ボルト５０の頭部５０ｃおよび座金部材４０を前記被取付部１０の側面１２よりも突出させないようにすることができ、室内への出っ張りを少なくすることができるようになっている。
【００３３】
一方、本実施の形態の接着剤６０は、種々のもの挙げられるが、例えばボルト等の金属と木材との接着に適すとともに、接着剤６０自体の経年変化も効果的に防ぐことができるもの等、本発明の趣旨を逸脱せず、しかもより高い効果を得ることができるような接着剤６０を用いるようにする。
【００３４】
次に、図面を参照して前記ブラケット２０を被取付部１０に取り付ける際の方法について説明する。
【００３５】
まず、図１に示すように、前記被取付部１０に、前記貫通孔３０を形成するとともに、室内に面する側面１２に前記支持ボルト５０および座金部材４０の突出分を考慮した前記窪み部１２ａを形成する。
また、この貫通孔３０の両端の開口部に面して前記座金部材４０を取り付ける。この時、前記座金部材４０の嵌挿部４３を貫通孔３０に嵌め込んでおくことで、座金部材４０の仮取り付けを行うことができる。
【００３６】
次に、前記支持ボルト５０を、この支持ボルト５０の先端部５０ａが前記被取付部１０の外部に面する側面１１から突出するようにして、前記貫通孔３０の両端の座金部材４０に形成された第１孔部４１および貫通孔３０に挿通する。
なお、この時、この支持ボルト５０の先端部５０ａには、この支持ボルト５０に螺合する前記ナット５１を完全に締め付けない状態で螺合しておく。
【００３７】
そして、前記座金部材４０に形成された第２孔部４２から接着剤６０を注入し、前記貫通孔３０の内部に接着剤６０を充填させて、前記支持ボルト５０を貫通孔３０の内部に定着させて固定する。
その後、前記ナット５１を締め付けて、支持ボルト５０を確実に固定するとともに、支持ボルト５０の頭部５０ｃおよびナット５１によって前記座金部材４０の第１孔部４１および第２孔部４２を閉塞して、貫通孔３０の内部から接着剤６０が漏れ出さないようにする。
【００３８】
なお、以上のような作業は現場で行わずとも良く、例えば工場等で予め作業を進めておき、現場での作業を省略して施工性の向上を図るようにしても良い。
【００３９】
次に、前記被取付部１０に取り付けられた支持ボルト５０に対して、ベースプレート２１に形成された挿通孔２１ａを挿通するようにして前記ブラケット２０を取り付ける。
また、ベースプレート２１の表面側および裏面側に、前記支持ボルト５０に螺合するナット２１ｂ，２１ｃを設けておき、これらナット２１ｂ，２１ｃを締め付けることで前記ブラケット２０より強固に固定できるようにする。このようにして、図３に示すように、ブラケット２０の取り付け作業が完了する。
【００４０】
そして、以上のような作業を、前記被取付部１０の複数箇所で行って複数のブラケット２０を取り付け、さらに前記張出部を、これらブラケット２０で支持するようにして前記被取付部１０に設けるようにする。
【００４１】
なお、本実施の形態の被取付部１０を梁としたが、これに限られず、壁や柱等でも良く、一方の張出部をバルコニーとしたが、これに限られず、庇等でも良く、本発明の趣旨を逸脱しない範囲で適宜変更可能である。
【００４２】
本実施の形態によれば、前記第１孔部４１および貫通孔３０に支持ボルト５０が挿通されるとともに、第２孔部４２を通じて貫通孔３０の内部に接着剤６０が充填されているので、この接着剤６０によって前記支持ボルト５０を貫通孔３０の内部に定着させて固定することができる。
そして、このように前記接着剤６０によって、前記支持ボルト５０が貫通孔３０の内部に強固に固定されているので、従来とは異なり、時間の経過に伴って前記被取付部１０に木痩せが生じた場合であっても、支持ボルト５０の緩みを確実に防ぐことができる。これによってブラケット２０の支持強度の低下を確実に防ぐことができるので、延いては、バルコニー、庇等の張出部の支持強度の低下を確実に防ぐことが可能となる。
【図面の簡単な説明】
【００４３】
【図１】本発明のブラケットの取付構造を示す側断面図である。
【図２】座金部材を示す斜視図であり、（ａ）は裏面であり、（ｂ）は表面である。
【図３】ブラケットを被取付部に取り付けた際の状態を示す斜視図である。
【符号の説明】
【００４４】
１０  被取付部
２０  ブラケット
３０  貫通孔
４０  座金部材
５０  支持ボルト
６０  接着剤
【図１】
2007247242.tif 000003
【図２】
2007247242.tif 000004
【図３】
2007247242.tif 000005